(57)【要約】【課題】バンドの締め過ぎや締め不足が生じ無い又は生じ難いようにして、簡単な操作で結束対象を適切に締め付けることができるように改善された結束バンドを提供する。【解決手段】結束バンドにおいて、可撓性を有するバンド部１と、バンド部１をその先端から挿通させて抜け止め状に係止させる挿通係止孔２Ａを有してバンド部１の基端に連設されるロック部２と、バンド部１を挿通係止孔２Ａに挿通することによってロック部２とバンド部１とで形成される結束用ループ部１Ｒの周長が所定値以下になることを規制すべくロック部２に当接可能にバンド部１に形成される突起部６とを有し、突起部６が結束用ループ部１Ｒの内周側に設けられるとともに、突起部６の天井面１０がバンド基端側に行くに従って低くなる傾斜面に設定されている。【選択図】図８
2010076808.tif 000002
【特許請求の範囲】
【請求項１】
可撓性を有するバンド部と、前記バンド部をその先端から挿通させて抜け止め状に係止させる挿通係止孔を有して前記バンド部の基端に連設されるロック部と、前記バンド部を前記挿通係止孔に挿通することによって前記ロック部と前記バンド部とで形成される結束用ループ部の周長が所定値以下になることを規制すべく前記ロック部に当接可能に前記バンド部に形成される突起部とを有し、
前記突起部が前記結束用ループ部の内周側に設けられるとともに、前記突起部の天井面がバンド基端側に行くに従って低くなる傾斜面に設定されている結束バンド。
【請求項２】
前記天井面のバンド先端側の所定範囲に、天井高さが一定となる水平面が形成されている請求項１に記載の結束バンド。
【請求項３】
前記ロック部に、結束バンド支持用板状部材に形成されている取付孔に挿着されるアンカーが設けられている請求項１又は２に記載の結束バンド。
【発明の詳細な説明】
【技術分野】
【０００１】
本発明は、ゴムチューブや樹脂パイプ等の可撓性を有する複数のチューブを束ねる場合や、或いはワイヤーハーネスを自動車の車体にクランプするような場合に好適な結束バンドに関するものである。
【背景技術】
【０００２】
例えば、ゴム製チューブの単数を洗濯機内部の支持板にクランプしたり、複数のチューブを束ねたり、或いはその束ねられたチューブ束を前記支持板にクランプするような場合があるが、その際には特許文献１や特許文献２において開示される結束バンドが用いられることが多い。結束バンドでチューブ等の結束対象を結束するには、バンド部を結束対象に巻き付けてからロック部に挿通して引張って締め付ける、という操作が行われる。
【０００３】
特許文献１で開示される結束バンドは、電線、チューブ等の長尺物をまとめて集約配置できるように結束して束ねるためのものである。そして、特許文献２で開示される結束バンドは、バンド部を挿通して係止維持させるロック部にアンカー部が付設されているタイプであり、チューブ群やワイヤーハーネスを結束して束ねた状態として、車体パネル板にその取付孔にアンカーを差し込んで固定支持させることが可能な便利なものである。
【０００４】
しかしながら、ゴムチューブや軟質樹脂チューブ等の柔かい結束対象を結束する場合には、締め過ぎによるチューブの流路断面積減少により流れを阻害するおそれがあった。そのため、柔かい結束対象を結束する作業のときには、締め過ぎずそして緩くならないようにしっかりと締め付けるという慎重かつ繊細な操作が要求され、いきおい作業効率の低下を招く傾向もあった。
【０００５】
一方、バンド部をロック部に挿通して結束する構造の結束バンドを用いての結束では、特許文献１の図３に示されるように、ロック部からのバンド部延出方向とロック部に通されるバンド部の方向とがほぼ垂直に交わる構成上、ロック部と結束対象とに隙間が生じ易いという問題があった。その間隙を極力小さくして、結束対象と結束バンドとが互いに横ずれし難いようにしっかりと結束するには、バンド部の付け根部分、及びバンド部のロック部挿通手前部分を屈曲変位させるほどにきつく締め付けるしかないが、そうすると前述の締め過ぎによる不都合を招き易くなる。
【特許文献１】特開２００８−０２４９２４号公報
【特許文献２】特開２０００−２７０４４７号公報
【発明の開示】
【発明が解決しようとする課題】
【０００６】
以上のように、従来の結束バンドでは、バンド部の締め過ぎによる前記弊害を招かないようにすることと、構造上の前記隙間を小さくしてしっかり保持することとには相反する面があり、横ずれし易い緩い結束状態や、チューブ内の流れを阻害する等の結束対象に不都合が出るほどの締め過ぎ結束状態になり易いという傾向があった。従って、結束対象を締め過ぎず、かつ、隙間を小さくしてしっかり結束対象を結束して保持することとの双方を満足させるには、さらなる改善の余地が残されているように思える。
【０００７】
本発明の目的は、上記実情に鑑みることにより、バンドの締め過ぎも構造上の締め不足も生じ無い又は生じ難いようにして、チューブ内での流体流れを阻害するとか結束対象の変形を招くといった締め過ぎによる不都合、及び結束対象が横ずれする等の締め不足による不都合の双方から解放され、簡単な操作によって結束対象を適切に締め付けることができるように改善された結束バンドを提供する点にある。
【課題を解決するための手段】
【０００８】
請求項１に係る発明は、結束バンドにおいて、可撓性を有するバンド部１と、前記バンド部１をその先端から挿通させて抜け止め状に係止させる挿通係止孔２Ａを有して前記バンド部１の基端に連設されるロック部２と、前記バンド部１を前記挿通係止孔２Ａに挿通することによって前記ロック部２と前記バンド部１とで形成される結束用ループ部１Ｒの周長が所定値以下になることを規制すべく前記ロック部２に当接可能に前記バンド部１に形成される突起部６とを有し、
前記突起部６が前記結束用ループ部１Ｒの内周側に設けられるとともに、前記突起部６の天井面１０がバンド基端側に行くに従って低くなる傾斜面に設定されていることを特徴とするものである。
【０００９】
請求項２に係る発明は、請求項１に記載の結束バンドにおいて、前記天井面１０のバンド先端側の所定範囲に、天井高さが一定となる水平面１０Ａが形成されていることを特徴とするものである。
【００１０】
請求項３に係る発明は、請求項１又は２に記載の結束バンドにおいて、前記ロック部２に、結束バンド支持用板状部材１６に形成されている取付孔１７に挿着されるアンカー３が設けられていることを特徴とするものである。
【発明の効果】
【００１１】
請求項１の発明によれば、詳しくは実施形態の項にて説明するが、バンド部に設けられた突起部がロック部に当接するから、それ以上にバンド部をロック部に対して引張ることが防止され、適度な締め付け力でもって結束対象を結束することが可能になる。加えて、突起部の天井面がバンド基端側に行くに従って低くなる傾斜面になっているから、その突起部の傾斜面がが結束用ループ部で締め付けられ結束対象に沿うようになり、ロック部とその挿通係止孔に通されるバンド部とが直交する構造上、結束バンドと結束対象との間に生じる隙間を小さくすることが可能になる。つまり、適切な締め付け力を実現させるための突起部が、構造上の結束隙間を小さくする機能も兼備する合理的手段である。
【００１２】
その結果、バンドの締め過ぎも構造上の締め不足も生じ無い又は生じ難いようにして、チューブ内での流体流れを阻害するとか結束対象の変形を招くといった締め過ぎによる不都合、及び結束対象が横ずれする等の締め不足による不都合の双方から解放され、簡単な操作によって結束対象を適切に締め付けることができるように改善された結束バンドを提供することができる。
【００１３】
請求項２の発明によれば、詳しくは実施形態の項にて説明するが、天井面のバンド先端側が水平面に形成されているから、突起部のバンド部の長手方向寸法を十分取ってその支持強度を十分にしながら、突起部の高さを取扱い易いように低く抑えることができる利点がある。また、請求項３のように、結束バンド支持用板状部材の取付孔に挿着されるアンカーをロック部に設けて、アンカー付の結束バンドとすることもできる。
【発明を実施するための最良の形態】
【００１４】
以下に、本発明による結束バンドの実施の形態を、図面を参照しながら説明する。図１〜図６はそれぞれ結束バンドの正面図、側面図、背面図、拡大平面図、拡大底面図、斜視図、図７はロック部の拡大正面図、図８は結束状態例を示す説明図、図９，１０は突起部の別構造を示す断面図である。
【００１５】
〔実施例１〕
実施例１による結束バンドＡは、図１〜図７に示すように、６−６ナイロン等の可撓性を有する合成樹脂製の一部品で成り、バンド部１と、ロック部２と、アンカー３と、一対の押え片４，４と、操作片５とを有して構成されている。この結束バンドＡは、例として、ドラム式洗濯機の水位調節用ホース（結束対象Ｔ）、或いはエアホース（結束対象Ｔ）を洗濯機本体へ固定するための手段として用いられる。
【００１６】
まず簡単に使用例を説明すると、図８に示すように、結束対象である単一のチューブＴにバンド部１を巻き込んでバンド先端部１Ｃをロック部２の挿通係止孔２Ａに通すとともに、その挿通係止孔２Ａを通過しているバンド先端部１Ｃを引張って結束用ループ部１Ｒを小さくすることでチューブＴを締め付けて結束することにより、位置ずれしないようにチューブＴが結束バンドＡに保持される。また、結束バンドＡは、そのアンカー３を支持板（洗濯機本体）７の取付孔１７に差し込むことにより、抜け止め状に支持されており、従って、チューブＴが位置固定状態で洗濯機本体７にクランプされている。
【００１７】
さて、バンド部１は、図１〜図３，図６に示すように、両サイドに補強凸条１ａ，１ａが形成される表面部１Ａと、鋸歯状の断面を有する凹凸１ｂが形成される裏面部１Ｂとを有する帯状の部分であり、先端には表面側にやや傾き、かつ、左右幅が先端側ほど狭くなる先尖り状のバンド先端部１Ｃが形成されている。そして、バンド部１の基端はロック部２に一体化されている。また、バンド部１の表面１Ａにおけるロック部２から所定長さ隔てた箇所には突起部６が一体形成されている。
【００１８】
突起部６は、図１や図８に示すように、バンド部１の幅方向で中央部に位置して、ロック部２の入口側壁２Ｈに当接可能な前立面９と、天井面１０と、左右の側面１１，１２と、後立面１３とを有し、平面視で矩形を呈するようにバンド部１に一体形成されている。天井面１０は、その前立面（バンド先端の一例）９側に形成される天井高さが一定の水平天井面（水平面の一例）１０Ａと、天井面高さが後立面（バンド基端の一例）１３側に行くに従って低くなるように後立面１３側に形成される傾斜天井面１０Ｂとを有して形成されている。
【００１９】
バンド部１をその先端側から挿通係止孔２Ａに通すことにより、ロック部２及びバンド部１における挿通係止孔２Ａに通されていない未通バンド部分１ｍとで、結束対象Ｔに巻き付けられる結束用のループ部１Ｒが形成される。つまり、突起部６は結束用ループ部１Ｒの内周側に設けられるとともに、突起部６の天井面１０が、バンド基端側に行くに従って低くなる傾斜天井面１０Ｂと、バンド先端側の所定範囲に形成される天井高さが一定となる水平面１０Ａとで形成されている。
【００２０】
ロック部２は、図１〜図７に示すように、バンド部１の基端が接続される上壁部（一端壁部）２ｃと、アンカー３が接続される下壁部（他端壁部）２ｄと、バンド部１の延出方向と直交する方向に貫通する挿通係止孔２Ａと、挿通係止孔２Ａ内に配置される噛合部材２ａとを有して成る部分である。係合部材２ａはバンド部１の挿通方向で上手側端で片持ち支持されて揺動移動可能に一体形成され、かつ、凹凸１ｂに噛合する鋸刃状の係合部２ｂを有している。
【００２１】
アンカー３は、ロック部２の直下に位置する上下（バンド部１の延出方向）に長い長孔状で、かつ、挿通係止孔２Ａと同じ方向に向く中空部３Ａと、バンド部１の表面部１Ａ側の位置に一対の引っ掛かり部８，８を有する略下（反バンド部延出方向）向き矢印形状の部分である。そして、中空部３Ａに位置する操作片５がアンカー３下部の連結部３Ｒに接続される片持ち状に支持されている。操作片５は、上部の被操作部５Ａと、裏面部１Ｂ側に突出する引っ掛かり部１６とを有している。
【００２２】
次に、本発明による結束バンドＡによる結束作業について説明すれば、バンド部１をその先端１ＣからチューブＴに巻き付けてからロック部２の挿通係止孔２Ａに通し、結束用ループ部１Ｒを形成する。この場合、結束対象Ｔがワイヤーハーネスの末端部分や袋の先等の開放部分を持つものでは、先にバンド部１を挿通係止孔２Ａに通して結束用ループ部１Ｒを作成し、それから結束用ループ部１Ｒ内に結束対象Ｔを通して巻き付ける状態にすることも可能である。
【００２３】
結束対象Ｔを結束用ループ部１Ｒ内に位置させたら、バンド先端部１Ｃ等のバンド部１における挿通係止孔２Ａを経ている部分を引張って結束用ループ部１Ｒを絞ってチューブＴを引締めて行く。そして、突起部６が、その前立面９が入口側壁２Ｈに当接することでロック部２に当った時点でバンド部１の引っ張りによるチューブＴの引き締めを止め、結束作業の終了となる（図８参照）。つまり、バンド部１を適度に引張っても強く引張っても、突起部６がロック部２に当接する時点で引き締めが終了する構造になっているから、チューブＴの締付け過ぎが起きず、その流路１５の断面積が縮小されて流れの阻害となる弊害が未然に防止できる好ましい結束バンドＡが実現されている。
【００２４】
即ち、突起部６は、バンド部１を挿通係止孔２Ａに挿通することによってロック部２とバンド部１とで形成される結束用ループ部１Ｒの周長が所定値以下になることを規制すべくロック部２に当接可能にバンド部１に形成されている。また、結束終了時には、図８に示すように、バンド部１の凹凸１ｂとロック部２の噛合部材２ａとが咬合する位置における突起部６がロック部２に最も接近する状態になっており、結束されているチューブＴの外周面に傾斜天井面１０Ｂが沿っている。換言すれば、傾斜天井面１０Ｂを有する突起部６が、結束用ループ部１Ｒの内周部形状を補完する機能を有している。
【００２５】
即ち、バンド部１の引締めによるチューブＴの結束空間Ｓは、ロック部２からのバンド部１の延出方向（矢印イ方向）とロック部２に通されるバンド部１の方向（矢印ロ方向）とがほぼ垂直に交わるという結束用ループ部１Ｒの構成上から正確な円形ではなく、従って、ロック部２と結束対象Ｔとの間の部分に隙間が生じ易いという問題が従来にはあった。しかしながら、本発明による結束バンドＡにおいては、突起部６の存在によって前記間隙が極力小さくなっており、チューブＴと結束バンドＡとが互いに横ずれし難いようにしっかりと結束することができる。尚、補強凸条１ａが結束対象に食い込み勝手となることでバンド部１の横ずれを防止する作用もあるので、これら補強凸条１ａ，１ａと突起部６と協働によって結束対象とバンド部１との横ずれがより一層生じ難くなっている。
【００２６】
その上、突起部６の天井面１０のバンド基端側に、バンド基端側に行くに従って低くなる傾斜天井面１０Ｂが形成されているので、例えば、矩形形状の突起部を単に設ける場合に比べて、突起部６の天井面よりチューブＴの外周面１４にフィットするようになり、チューブＴの外郭形状（円形）を型崩れさせること無く、又は少なくしながら結束することを可能にしている。尚、便宜上図８は、ロック部２から真っ直ぐに延出される状態のバンド部１の基端側部分と、ロック部２の挿通係止孔２Ａの挿通方向に真っ直ぐに延びる状態のバンド部１とを実線で描き、挿通係止孔２Ａに通されての結束用ループ部１Ｒを持つ実際に近い状態のバンド部を仮想線で描いてある。
【００２７】
そして、天井面１０のバンド先端側には水平天井面（水平面の一例）１０Ａに形成されているから、突起部６のバンド部１の長手方向寸法を十分取って支持強度十分にしながら、突起部６の高さを取扱い易いように低く抑えることができる。何故なら、天井面全体を傾斜面とした場合には、強度十分とするために突起部６のバンド長手方向長さを十分取れば、傾斜による突起部６の最大高さが高くなり過ぎて邪魔になるおそれがあるからであるが、本発明ではそのような不都合が解消されている。
【００２８】
ところで、図６や図８に示すように、バンド部１の表面部１Ａにおける両サイド補強凸条１ａ，１ａが、結束用ループ部１Ｒにおいて部分的に欠如されている箇所ｅがあるが、その欠如箇所ｅを設けたことによってバンド部１をその表面部１Ａ側へ屈曲変形させ易いものとなっている。従って、実施例１の結束バンドＡは、バンド部１を挿通係止孔２Ａに通しての結束用ループ部１Ｒの形成がし易いという利点も有している。欠如箇所ｅは、バンド部１における突起部６とロック部２との間の部分、即ち、ループ部１Ｒにおける周長の丁度真ん中より若干ロック部２に寄った箇所に設定されている。
【００２９】
要するに本発明においては、可撓性を有するバンド部１と、バンド部１をその先端から挿通させて抜け止め状に係止させる挿通係止孔２Ａ有してバンド部１の基端に連設されるロック部２と、バンド部１を挿通係止孔２Ａに挿通することによってロック部２とバンド部１とで形成される結束用ループ部１Ｒの周長が所定値以下になることを規制すべくロック部２に当接可能にバンド部１に形成される突起部６とを有し、突起部６結束用ループ部１Ｒの内周側に設けられるとともに、突起部６の天井面１０Ｂがバンド基端側に行くに従って低くなる傾斜面に設定されているのである。
【００３０】
尚、図８は、アンカー３が支持板（結束バンド支持用板状部材の一例）７の取付孔１７に差し込まれて、アンカー３の一対の引っ掛かり部８，８、及び操作片５の引っ掛かり部１９が支持７の底面１８に当接し、かつ、被操作部５Ａが支持板７の上面１６の上側に回り込んで抜け止めする結束バンドＡの支持板７への装着支持状態を示している。つまり、結束バンドＡは、操作片５の弾性揺動によって取付孔１７への差し込みが為され、そして、手指等による被操作部５Ａの内方への弾性揺動によって取付孔１７からの取り出しが可能とされている。
【００３１】
〔別実施例〕
図９に示すように、突起部６は、その天井面１０が、先端側の逆傾斜面１０Ａと、結束対象であるチューブＴの円弧状外周面に沿う円弧面（傾斜天井面の一例）１０Ｂとで成るものでも良い。また、図１０に示すように、天井面１０の全部がバンド基端側に行くに従って天井面高さが低くなる傾斜天井面に形成されている突起部６でも良い。尚、図９，１０は、図８における結束対象Ｔ付近の結束バンドＡに相当する箇所を、簡単のため部分的に示したものである。
【００３２】
また、実施例１においては結束対象Ｔは単一のチューブであったが、複数の可撓性を有するチューブ、或いは複数の電線で成るワイヤーハーネス、牛蒡や葱の束等、バンドの締付け過ぎを避けたい結束対象としては種々のものが可能である。
【図面の簡単な説明】
【００３３】
【図１】結束バンドの正面図（実施例１）
【図２】結束バンドの側面図
【図３】結束バンドの背面図
【図４】結束バンドの拡大平面図
【図５】結束バンドの拡大底面図
【図６】結束バンドの斜視図
【図７】ロック部の拡大正面図
【図８】結束状態の例を示す説明図
【図９】突起部の第１別実施例を示す断面図
【図１０】突起部の第２別実施例を示す断面図
【符号の説明】
【００３４】
１          バンド部
２          ロック部
２Ａ        挿通係止孔
３          アンカー
６          突起部
１０        天井面
１０Ａ      水平面
１６        結束バンド支持用板状部材
１７        取付孔
Ｒ          結束用ループ部
【図１】
2010076808.tif 000003
【図２】
2010076808.tif 000004
【図３】
2010076808.tif 000005
【図４】
2010076808.tif 000006
【図５】
2010076808.tif 000007
【図６】
2010076808.tif 000008
【図７】
2010076808.tif 000009
【図８】
2010076808.tif 000010
【図９】
2010076808.tif 000011
【図１０】
2010076808.tif 000012